(57)【要約】【課題】取付・撤去を容易に行うことができ、また長期に亘り安定的にロープに取付けられて注意旗としての機能を発揮し続けることができる注意旗を提供する。【解決手段】軸方向に直交する方向の両端部を合わせることにより筒状の部材となる袋体１１と、基端部の一辺が前記軸方向に沿い前記袋体１１の内面に固定されるとともに巻き込まれた状態で前記袋体１１の内部に収納される旗１２と、前記袋体１１の合わせた前記両端部間を閉じるジッパー１３と、前記筒状の袋体１１から前記旗１２の先端部を外部に取り出すために前記袋体１１に軸方向に亘り形成された開口部１４とを有する。【選択図】  図２
2011186300.tif 000002
【特許請求の範囲】
【請求項１】
軸方向に直交する方向の両端部を合わせることにより筒状の部材となる袋体と、
基端部の一辺が前記軸方向に沿い前記袋体の内面に固定されるとともに巻き込まれた状態で前記袋体の内部に収納される旗と、
前記袋体の合わせた前記両端部間を閉じる閉止部材と、
前記筒状の袋体から前記旗の先端部を外部に取り出すために前記袋体に軸方向に亘り形成された開口部とを有することを特徴とする注意旗。
【請求項２】
請求項１に記載する注意旗において、
前記袋体は筒状としたときの軸方向に関する両端部が傾斜した紡錘状となるように形成したことを特徴とする注意旗。
【請求項３】
請求項１又は請求項２に記載する注意旗において、
前記袋体の内周面に弾性部材の基端部を固着し、前記袋体をロープに取付けた状態で前記弾性部材の先端部が前記ロープの外周面に当接することにより発生する前記ロープとの間での摩擦力により前記袋体の前記ロープの軸方向への移動を規制するように構成したことを特徴とする注意旗。
【請求項４】
請求項１乃至請求項３の何れか一つに記載する注意旗において、
前記閉止部材はジッパーで形成したことを特徴とする注意旗。
【請求項５】
請求項１乃至請求項４の何れか一つに記載する注意旗において、
前記旗はその先端部に錘が取付けられていることを特徴とする注意旗。
【請求項６】
請求項１乃至請求項５の何れか一つに記載する注意旗において、
前記開口部には該開口部を閉じる閉止部材を設けたことを特徴とする注意旗。
【請求項７】
請求項１乃至請求項６の何れか一つに記載する前記注意旗の前記袋体の前記両端部を離間させた状態で二本の支柱間に張架されたロープの周囲で前記ロープを取り囲むように前記袋体を筒状に曲げ、その後前記閉止部材を介して前記両端部を閉じることにより前記袋体を前記ロープに取付ける工程と、前記開口部を介して袋体の内部に収納されている旗を外部に引き出す工程とを有する注意旗の取付工程と、
前記開口部を介して前記袋体内に前記旗を丸めて収納する工程と、
前記袋体を取付けたままロープを金車を介して地上に撤収する工程と、
前記閉止部材を開いて前記両端部間を離間させることにより、地上に撤収したロープから前記袋体を取り外す工程とを有する注意旗の撤収工程とを具備していることを特徴とする注意旗の取付・撤去工法。
【発明の詳細な説明】
【技術分野】
【０００１】
本発明は注意旗及びその取付・撤去工法に関し、特に送電線の近傍で重機を用いた工事を行う場合等、危険物の近傍で工事を行う場合に注意喚起のために適用して有用なものである。
【背景技術】
【０００２】
高圧の送電線の近傍でクレーン、その他の重機類を使用して造成工事、家屋建築等の各種工事を行う場合、該送電線の近接位置（地上、１５ｍ〜２０ｍ前後の高さの近接位置）にロープを配設すると共に、このロープの所定位置に危険を告知するための注意旗を取り付けて、上記重機類のオペレーター・作業員に、重機類の接近による電磁誘導障害や接触事故を未然に防止すべく対策を講じている。
【０００３】
図７は従来技術に係る注意旗をロープに取付けた状態の態様及びこの態様から注意旗を撤収する際の態様を示す説明図である。従来技術においては、図７（ａ）に示すように、三角形の注意旗１は、例えば送電線の鉄塔間に張架されたロープ２に、例えば結束バンド（インシュロック（登録商標））３で作業員が一つ一つを結びつけている。注意旗１はかかる状態で必要な期間ロープ２に取付けた状態で所定の高所に設置されている。
【０００４】
一方、かかる注意旗１の撤収の際には、図７（ｂ）に示すように、先ず注意旗１をロープ２に巻付けるとともに、図７（ｃ）に示すように、全部を巻付けた後、両端部にテープ４を巻回してテーパ部を形成する。その後、この状態でロープ２の一方を引っ張りながら一方側にたぐり寄せる。このときロープ２は注意旗１を巻付けた状態のまま金車（図示せず）の部分を通過させる。このように金車部分を通過させるため、前述の如く注意旗１の両端部をテーパ部とする必要がある。両端部が段部となっている場合にはこの部分が金車に引っかかってそれ以上ロープ２を引っ張ることができなくなるからである。
【０００５】
最後に注意旗１を巻付けたままの状態で撤収したロープ２からテープ４を外すとともに結束バンド３を切ることにより注意旗１をロープ２から取り外す。
【０００６】
なお、この種の注意旗に関する技術を提案する先行技術としては特許文献１を挙げることができるが、この特許文献１は取付ロープに取付けた注意旗が風等により揺れて騒音を発生するのを未然に防止することを目的とするものである。
【先行技術文献】
【特許文献】
【０００７】
【特許文献１】実開平０６−６０２２９号公報
【発明の概要】
【発明が解決しようとする課題】
【０００８】
上述の如き従来技術においては、注意旗１を高所に張架されたロープ２に結束バンド３で結束する必要があるが、この作業が高所作業であることとも相俟って多大の時間を要するものとなっている。さらに、注意旗１の撤収の際には、高所でその巻取作業とともに両端部にテープ４を巻回する作業も行う必要がある。このため、撤収作業も多大な時間を要する作業となる。なお、注意旗１の撤収に際しては、張架されたロープ２に取付けられている注意旗１の結束バンド３を切って注意旗１を取り外した後、ロープ２のみを撤収するようにしても良い。ただ、この場合でも注意旗１の取外し作業が高所作業であるため、同様に多大の時間を要する作業となる。
【０００９】
さらに、この種の注意旗１はロープ２に取付けたまま長期間に亘り風雨に晒される場合もあり、結束バンド３が劣化した場合にはこれが切れて注意旗１が落下する事態も発生する。
【００１０】
本発明は、上記従来技術に鑑み、取付・撤去を容易に行うことができ、また長期に亘り安定的にロープに取付けられて注意旗としての機能を発揮し続けることができる注意旗及びその取付・撤去工法を提供することを目的とする。
【課題を解決するための手段】
【００１１】
上記目的を達成する本発明の第１の態様は、軸方向に直交する方向の両端部を合わせることにより筒状の部材となる袋体と、基端部の一辺が前記軸方向に沿い前記袋体の内面に固定されるとともに巻き込まれた状態で前記袋体の内部に収納される旗と、前記袋体の合わせた前記両端部間を閉じる閉止部材と、前記筒状の袋体から前記旗の先端部を外部に取り出すために前記袋体に軸方向に亘り形成された開口部とを有することを特徴とする注意旗にある。
【００１２】
本態様によれば、袋体は軸方向に直交する方向の両端部を合わせることにより筒状の部材となるので、この袋体を展開した状態で軸方向をロープの軸方向に沿ってロープ上に載置し、その後袋体を筒状に丸めて両端部を合わせ、合わせた両端部間を閉止部材で閉じることにより、ロープに取付けることができる。
【００１３】
一方、旗は袋体の内部に巻き込まれた状態で収納されており、しかも袋体には旗の先端部を外部に取り出すための開口部が形成されているので、この開口部を介して簡単に袋体の外部に旗を取り出すことができる。
【００１４】
この結果、ロープに対する当該注意旗の取付けは袋体を介して行えば良く、また袋体と一体となった旗を開口部を介して外部に引き出すだけで注意旗の設置が完了するので、その設置作業が飛躍的に簡単になる。また、かかる設置状態は袋体を介して維持され、しかも旗は袋体に一体化されているので、旗がロープから落下する等の不都合を回避でき、長期に亘り安定して注意旗の機能を維持し得る。
【００１５】
本発明の第２の態様は、第１の態様に記載する注意旗において、前記袋体は筒状としたときの軸方向に関する両端部が傾斜した紡錘状となるように形成したことを特徴とする注意旗にある。
【００１６】
本態様によれば、旗が内部に収納された袋体の全体的な形状が紡錘状となっているので、ロープに取付けたまま金車を通過させる場合でも金車の部分で袋体が引っかかることなく円滑に通過させることができる。
【００１７】
本発明の第３の態様は、第１又は第２の態様に記載する注意旗において、前記袋体の内周面に弾性部材の基端部を固着し、前記袋体をロープに取付けた状態で前記弾性部材の先端部が前記ロープの外周面に当接することにより発生する前記ロープとの間での摩擦力により前記袋体の前記ロープの軸方向への移動を規制するように構成したことを特徴とする注意旗にある。
【００１８】
本態様によれば、袋体をロープに取付けた状態で弾性部材がロープの表面に当接しているので、その摩擦力により袋体がロープの軸方向に移動するのを有効に防止することができる。
【００１９】
本発明の第４の態様は、第１乃至第３の態様の何れか一つに記載する注意旗において、前記閉止部材はジッパーで形成したことを特徴とする注意旗にある。
【００２０】
本態様によれば、ジッパーの開閉により容易に袋体の両端部間の開閉を行うことができる。
【００２１】
本発明の第５の態様は、第１乃至第４の態様の何れか一つに記載する注意旗において、前記旗はその先端部に錘が取付けられていることを特徴とする注意旗にある。
【００２２】
本態様によれば、旗は巻回した状態で袋体に収納されているので、これを開口部から外部に取り出した際には巻癖が残っている場合がある。かかる場合でも、錘に作用する重力により前記巻癖を良好に戻すことができ、また旗に要求される所定の展開状態でロープから吊下することができる。
【００２３】
本発明の第６の態様は、第１乃至第５の態様の何れか一つに記載する注意旗において、前記開口部には該開口部を閉じる閉止部材を設けたことを特徴とする注意旗にある。
【００２４】
本態様によれば、袋体に巻き込んで収納されている旗が、開口部を介して不用意に外部にはみ出すという事態を未然に防止し得る。
【００２５】
本発明の第７の態様は、第１乃至第６の態様の何れか一つに記載する前記注意旗の前記袋体の前記両端部を離間させた状態で二本の支柱間に張架されたロープの周囲で前記ロープを取り囲むように前記袋体を筒状に曲げ、その後前記閉止部材を介して前記両端部を閉じることにより前記袋体を前記ロープに取付ける工程と、前記開口部を介して袋体の内部に収納されている旗を外部に引き出す工程とを有する注意旗の取付工程と、前記開口部を介して前記袋体内に前記旗を丸めて収納する工程と、前記袋体を取付けたままロープを金車を介して地上に撤収する工程と、前記閉止部材を開いて前記両端部間を離間させることにより、地上に撤収したロープから前記袋体を取り外す工程とを有する注意旗の撤収工程とを具備していることを特徴とする注意旗の取付・撤去工法にある。
【００２６】
本態様によれば、袋体を介して当該注意旗を簡単にロープに取付けることができ、かかる状態で袋体に一体化されている旗を袋体から外部に引き出すだけで当該注意旗の所定の設置が完了するので、高所の作業であっても、この作業を極めて短時間で行うことができる。
【００２７】
また、旗を袋体に巻き込んで収納した後には袋体をロープに取付けたままでもこれらを一体として地上に撤収することができるので、この撤収作業も極めて効率の良いものとなる。
【発明の効果】
【００２８】
本発明によれば、旗とは別の結束バンド等を用いることなく、旗と一体となった袋体をロープに取付けるとともに、袋体の内部に収納されている旗を開口部を介して外部に引き出すだけで注意旗の設置が完了するので、従来に較べ当該設置が飛躍的に簡単になり、その分設置作業に要する時間も短縮される。
【００２９】
また、旗は袋体を介してロープに取付けられているので、長期に亘り安定して注意旗としての機能を発揮し続けることができる。
【図面の簡単な説明】
【００３０】
【図１】本発明の実施の形態に係る注意旗を示す図で、（ａ）はその上面図、（ｂ）はその下面図である。
【図２】図１に示す注意旗の断面図であり、（ａ）は旗を袋体の内部に収納した状態で示す横断面図、（ｂ）は旗を袋体の外部に引き出した状態で示す横断面図である。
【図３】図２（ｂ）のＡ線矢視図である。
【図４】本発明の実施の形態に係る注意旗の取付工程を概念的に示す説明図である。
【図５】本発明の実施の形態に係る注意旗の取付工程を概念的に示す説明図である。
【図６】本発明の実施の形態に係る注意旗の撤去工程を概念的に示す説明図である。
【図７】従来技術に係る注意旗の取付・撤去工程を概念的に示す説明図である。
【発明を実施するための形態】
【００３１】
以下、本発明の実施の形態を図面に基づき詳細に説明する。
【００３２】
図１は本発明の実施の形態に係る注意旗を示す図で、（ａ）はその上面図、（ｂ）はその下面図である。なお、同図は旗を袋体内に収納するとともに、袋体をロープに取付けた状態で示してある。また、図２は図１に示す注意旗の断面図であり、（ａ）は旗を袋体の内部に収納した状態で示す横断面図、（ｂ）は旗を袋体の外部に引き出した状態で示す横断面図である。
【００３３】
これらの図に示すように、本形態に係る注意旗Ｉは、軸方向に直交する方向の両端部を合わせることにより筒状の部材となる袋体１１、注意を喚起し得るよう通常黄色の三角旗で形成される当該注意旗Ｉの本体となる旗１２、閉止部材であるジッパー１３及び袋体１１の軸方向に亘り形成した開口部１４を基本的な構成要素とする。ここで、袋体１１はこれを展開した状態で軸方向をロープ２の軸方向に沿ってロープ２上に載置し、その後袋体１１を筒状に丸めて両端部を合わせ、合わせた両端部間をジッパー１３で閉じることにより、ロープ２に取付ける。図１はこの状態を示している。
【００３４】
ここで、本形態における袋体１１は、耐候性に優れる材料、例えばビニールで形成されており、特に図１に明確に示すように、筒状としたときの軸方向に関する両端部が傾斜した紡錘状となるように形成してある。これは袋体１１の軸方向に関する端部を絞ることにより容易に形成し得る。また、このように紡錘状になるように形成することは必須ではないが、旗１２が内部に収納された袋体１１の全体的な形状を紡錘状とすることによりロープ２に取付けたまま金車（図示せず）を通過させる場合でも金車の部分で袋体１１が引っかかることなく円滑に通過させることができる。
【００３５】
旗１２はその基端部の一辺、本形態の場合は三角形の底辺が袋体１１の軸方向に沿いその内面に縫い付けて固定されるとともに、巻き込まれた状態で袋体１１の内部に収納される。図２（ａ）はこの状態を示している。
【００３６】
ロープ２に取付けられた状態で筒状となっている袋体１１の内周面とロープ２の外周面との間の空間の一部が旗１２の収納スペース１１Ａとなる。そして、袋体１１の内部に収納されている旗１２は開口部１４を介してその先端部から外部に引き出すようになっている。すなわち、開口部１４は旗１２の位置に対応させて袋体１１に設けてあり、旗１２の軸方向の長さよりも若干長く形成されており、旗１２を良好に外部に引き出し得る構造となっている。本形態における開口部１４にはこれに沿ってジッパー１５が設けられており、ジッパー１５の開閉により開口部１４を開閉するようになっている。したがって、図１に示す状態から旗１２を外部に引き出す際には、ジッパー１５を開いて開口部１４を開口させる。このように、開口部１４にその閉止部材としてのジッパー１５等を設けることは必須ではないが、これを設けることにより、袋体１１に収納されている旗１２が、開口部１４を介して不用意に外部にはみ出すという事態を未然に防止し得る。
【００３７】
摺動片１６は袋体１１の内面に基端部が固着されて多数配設され、袋体１１が取付けられるロープ２の外周面に先端部が接触するように筒状の径方向に沿って伸びる可撓性部材である。このように、袋体１１をロープ２に取付けた状態で摺動片１６の先端部をロープ２の表面に当接させることにより、その摩擦力で袋体１１がロープ２の軸方向に移動するのを有効に防止することができる。
【００３８】
また、図２（ｂ）のＡ線矢視図である図３に明示しているが、旗１２にはその先端部に錘１７が取付けられている。ここでこの錘１７はこれに作用する重力で旗１２をロープ２から垂直下方に展張する機能を有する。すなわち、旗１２は巻回した状態で袋体１１に収納されているので、これを開口部１４から外部に取り出した際には巻癖が残っている場合があるが、錘１７に作用する重力により巻癖を戻すとともに、旗１２に要求される所定の展張状態を維持する。
【００３９】
かかる本形態の注意旗Ｉによれば、袋体１１は軸方向に直交する方向の両端部を合わせることにより筒状の部材となるので、この袋体１１を展開した状態で軸方向をロープ２の軸方向に沿ってロープ２上に載置し、その後袋体１１を筒状に丸めて両端部を合わせ、合わせた両端部間をジッパー１３で閉じることにより、ロープ２に取付けることができる。
【００４０】
一方、旗１２は袋体１１の内部に巻き込まれた状態で収納されており、しかも袋体１１は通常はジッパー１５により閉じられているが、旗１２を外部に取り出すための開口部１４が形成されている。そこで、ジッパー１５を介して開口部１４を開くことにより簡単に袋体１１の外部に旗１２を取り出すことができる。
【００４１】
この結果、ロープ２に対する当該注意旗Ｉの取付けは袋体１１を介して行えば良く、また袋体１１と一体となった旗１２を開口部１４を介して外部に引き出すだけで注意旗Ｉの設置が完了するので、その設置作業が飛躍的に簡単になる。また、設置状態は袋体１１を介して維持され、しかも旗１２は袋体１１に一体化されているので、旗１２がロープ２から落下する等の不都合を回避でき、長期に亘り安定した注意旗Ｉの機能を維持し得る。
【００４２】
次に図４乃至図６に基づき本発明の実施の形態に係る注意旗の取付・撤去工法を説明する。図４及び図５は注意旗の取付工程を概念的に示す説明図、図６は注意旗の撤去工程を概念的に示す説明図である。
【００４３】
先ず、図４（ａ）に示すように、鉄塔１８，１９間に張架された送電線２０に作業員２１が乗ったゴンドラ２２を吊下し、適当な間隔で吊り金車２３を送電線２０に吊下しながら鉄塔１８側から鉄塔１９側に展開し、地上から立ち上げたロープ２を通していく。
【００４４】
次に、図４（ｂ）に示すように、ゴンドラ２２とともにロープ２の先端が鉄塔１９側に到達した時点でロープ２の先端部を鉄塔１９の所定位置に固定する。
【００４５】
図５（ａ）に示すように、ゴンドラ２２を鉄塔１８側に戻しながら注意旗Ｉをロープ２に設置するとともに、吊り金車２３からロープ２を外しつつ吊り金車２３を送電線２０から取り外して回収する。ここで、ロープ２に対する注意旗Ｉの設置は上述の通りの作業で行う。すなわち、袋体１１を展開した状態で軸方向をロープ２の軸方向に沿ってロープ２上に載置し、その後袋体１１を筒状に丸めて両端部を合わせ、合わせた両端部間をジッパー１３で閉じることにより袋体１１をロープ２に取付け、さらにジッパー１５を開いて袋体１１の内部に収納された旗１２を開口部１４を介して外部に取り出す。
【００４６】
ゴンドラ２２が鉄塔１８側に到達し、最後の吊り金車２３を回収した後、図５（ｂ）に示すように、ロープ２の鉄塔１８側の端部を鉄塔１８の所定位置に緊縛・固定することで注意旗Ｉの設置が完了する。
【００４７】
一方、撤収時には、先ず図６（ａ）に示すように、送電線２０に作業員２１が乗ったゴンドラ２２を吊下し、鉄塔１８側から鉄塔１９側に移動しながら、適当な間隔で吊り金車２３を送電線２０に吊下し、吊下した吊り金車２３に手繰り上げたロープ２を引っかけていく。このとき、注意旗Ｉの旗１２は先端から基端部に向かって丸め込み、開口部１４を介して袋体１１内に収納し、ジッパー１５を閉じることにより開口部１４を閉じる。この結果、注意旗Ｉは図１に示すような紡錘状となってロープ２に取り付いている。
【００４８】
図６（ｂ）に示すように、ゴンドラ２２が鉄塔１９側に到達した時点で、鉄塔１９に固定したロープ２を取外し、手繰り上げてゴンドラに２２に回収する。
【００４９】
その後、図６（ｃ）に示すように、地上から立ち上げた迎えロープ２４にロープ２の鉄塔１８側の端部を緊縛して地上に向けて下方に引っ張る。ここで、袋体１１は紡錘状の物体としてロープ２に取付けられているので、吊り金車２３の部分を通過させる場合でも引っかかることなく円滑に通過させることができる。これに伴いゴンドラ２２を鉄塔１８側に移動させて吊り金車２３を回収する。
【００５０】
最後に、注意旗Ｉが取付けられたままで地上に回収されたロープ２から注意旗Ｉを取り外す。これはジッパー１３を開くことにより行う。ジッパー１３を開くことにより袋体１１の両端部間を離間させることができるので、旗１２を巻き込んだ状態の袋体１１をロープ２から簡単に取り外すことができる。
【００５１】
なお、上記実施の形態に示すように、この種の注意旗Ｉとしては通常三角旗が用いられるが、旗の形状は三角形に限定する必要はない。必要に応じ任意の形状を選択することができる。また、閉止部材をジッパー１３，１５に限る必要はない。所定の閉止機能を有するものであれば特に制限はない。ただ、高所における作業であることを考慮すれば、他の例としては操作が簡易なスナップボタン等が好適である。
【００５２】
さらに、上記注意旗Ｉの設置場所に特別な限定はない。上記実施の形態に示す送電線の近傍のみならず、例えば架空地線に航空標識的な物を設置する場合、廃止（停止）している線路に設置する場合、電柱の支線に設置する場合等への適用が考えられる。
【００５３】
上記実施の形態では、摺動片１６を設け、この摺動片１６で袋体１１のロープ２に対する滑り止めを図るようにしたがこれに限るものではない。袋体１１の内面に、例えばスポンジ状の摩擦部材を固着し、袋体１１をロープ２に装着した状態では、摩擦部材の先端部がロープ２の外周面に当接することにより両者間の摩擦力により滑り止めを図るようにしても良い。すなわち、袋体１１をロープ２に装着した状態で袋体１１に固着された部材の先端をロープ２の外周面に当接させることにより前記部材とロープ２との間に作用する摩擦力で袋体１１のロープ２の軸方向の移動を規制するような構造であれば良い。
【００５４】
また、上記実施の形態では旗１２の巻癖を矯正し展張状態を維持させるため錘１７を設けたが、これに限るものではない。例えば、旗１２の縁部に弾性変形する針金や形状記憶合金等を取付けることでも、同様の機能を実現させることができる。
【産業上の利用可能性】
【００５５】
本発明は送電線等の危険物の近傍で高所の空間を利用した工事等を行う産業分野において利用することができる。
【符号の説明】
【００５６】
Ｉ          注意旗
２          ロープ
１１          袋体
１１Ａ        収納スペース
１２          旗
１３，１５    ジッパー
１４          開口部
１６          摺動片
１７          錘
【図１】
2011186300.tif 000003
【図２】
2011186300.tif 000004
【図３】
2011186300.tif 000005
【図４】
2011186300.tif 000006
【図５】
2011186300.tif 000007
【図６】
2011186300.tif 000008
【図７】
2011186300.tif 000009